(57)【特許請求の範囲】
【請求項１】
構造物の外面から張り出されたブラケットと、
前記ブラケットを固定する固定部材と、を備える仮設架台であって、
前記ブラケットは、
構造物の前面に添設された縦材と、
前記縦材の下端部から前方に向けて張り出された水平材と、
前記水平材の上面から前記縦材の前面に至る斜材と、を有し、
前記固定部材は、
前記構造物の後面および前記縦材の前面にそれぞれ添設された一対の固定梁と、
前記構造物の左右の側面に沿って配設された一対の固定梁用緊張材と、を有し、
前記一対に固定梁は、前記一対の固定梁用緊張材に付与された緊張力により挟持されていることを特徴とする、仮設架台。
【請求項２】
前記固定部材は、前記水平材よりも上方に配設されていることを特徴とする、請求項１に記載の仮設架台。
【発明の詳細な説明】
【技術分野】
【０００１】
本発明は、仮設架台に関する。
【背景技術】
【０００２】
構造物を施工する際に使用するタワークレーン、作業床、足場、エレベーター等の仮設構造物は、構造物に隣接して構築するのが一般的である。
ところが、構造物の周囲に十分な施工スペースを確保することができない場合には、構造物に隣接して仮設構造物の支持構造を構築することができない。
【０００３】
そのため、本出願人は、特許文献１に示すように、構造物の外面から張り出されたブラケットと、ブラケットを固定する固定部材とを有する仮設架台を開発し、実用化に至っている。ブラケットを固定する固定部材は、構造物を前後から挟む一対の固定梁と、一対の固定梁の間に横架された固定梁用緊張材とを備えている。そして、固定梁用緊張材は構造物の左右の側面に沿って配設されている。
【０００４】
仮設架台は、構造物の外面から片持ち梁状に張り出されたブラケットにより揚重機等を支持するものであるため、ブラケットおよび固定部材への負荷が大きい。そのため、特許文献１では、ブラケットの下側に斜材を設けてブラケットに作用する力を分散させることで、主桁および固定部材に作用する負荷の低減化を図っている。
【先行技術文献】
【特許文献】
【０００５】
【特許文献１】特開２０１５−０９８６８３号公報
【発明の概要】
【発明が解決しようとする課題】
【０００６】
構造物の施工箇所の地形等によっては、斜材を設けるための空間をブラケットの下方に確保することができない場合がある。この場合、ブラケットの断面寸法を大きくするとともに、固定部材による固定度を高める必要があるが、このようにすると、仮設架台の施工に手間がかかることや費用が高価になることが懸念される。また、固定部材の取り付け箇所における構造物への負荷も大きくなることも懸念される。
【０００７】
このような観点から、本発明は、構造物の周囲の施工条件や構造物の構造形式に制限されることなく、簡易な構成により、構造物に隣接して仮設構造物の支持構造を構築することが可能な仮設架台を提案することを課題とする。
【課題を解決するための手段】
【０００８】
前記課題を解決するために、本発明は、構造物の外面から張り出されたブラケットと、前記ブラケットを固定する固定部材とを備える仮設架台であって、前記ブラケットは、構造物の前面に添設された縦材と、前記縦材の下端部から前方に向けて張り出された水平材と、前記水平材の上面から前記縦材の前面に至る斜材とを有し、前記固定部材は、前記構造物の後面および前記縦材の前面にそれぞれ添設された一対の固定梁と、前記構造物の左右の側面に沿って配設された一対の固定梁用緊張材とを有し、前記一対に固定梁は、前記一対の固定梁用緊張材に付与された緊張力により挟持されていることを特徴としている。
【０００９】
かかる仮設架台によれば、斜材が横材の上側に設けられているため、横材の下側に斜材を設けることができない地形であっても、斜材を設けることができる。また、縦材および斜材により、横材に作用する力を分散させることが可能となる。そのため、ブラケットを構成する各部材の小断面化が可能となり、ひいては、施工性の向上および費用の低減化を図ることができる。
なお、前記複数の固定部材が、前記水平材よりも上方に配設されていれば、現地の地形等に制限されることなく、確実にブラケットを固定することができる。
【発明の効果】
【００１０】
本発明の仮設架台によれば、構造物の周囲の施工条件や構造物の構造形式に制限されることなく、構造物に隣接して仮設構造物の支持構造を構築することが可能である。
【図面の簡単な説明】
【００１１】
【図１】本実施形態の仮設架台の使用状況を示す側面図である。
【図２】図１の仮設架台を示す拡大側面図である。
【図３】同仮設架台を示す平面図である。
【発明を実施するための形態】
【００１２】
本実施形態では、図１に示すように、橋脚（構造物の既設部分）３に固定された仮設架台４について説明する。仮設架台４は、橋梁上部工（構造物の残部）２を構築するためのタワークレーン１を支持するものである。
【００１３】
本実施形態のタワークレーン１は、クレーン本体１０と、マスト１１とを備えている。
クレーン本体１０は、いわゆるジブクライミングクレーンであって、ジブ１２を有しているとともに、マスト１１に沿って上昇することが可能に構成されている。また、クレーン本体１０は、水平面内での旋回が可能である。
なお、クレーン本体１０の構成は限定されるものではない。
【００１４】
マスト１１は、クレーン本体１０を支持する塔状部材であって、仮設架台４に立設されている。本実施形態のマスト１１は、複数のマスト部材を上下方向で連結することにより形成されている。マスト部材は、鋼材を角柱状に組み合わせることにより形成されている。なお、マスト部材の構成は限定されるものではなく、例えば、鋼管により形成されていてもよい。
【００１５】
マスト１１の下端は、基礎１３を介して仮設架台４に固定されている。
基礎１３は、図２に示すように、仮設架台４（受桁５４）の上面に固定されている。本実施形態の基礎１３は、図３に示すように、平面視Ｘ字状に配置された鋼材からなり、各鋼材の端部において治具１４を介して仮設架台４に固定されている。
最下段に配設されたマスト部材は、Ｘ字状の基礎１３に固定されている。
なお、基礎１３の構成は限定されるものではない。また、最下段のマスト部材と基礎１３との固定方法も限定されない。
【００１６】
仮設架台４は、ブラケット５と固定部材６を備えている。
ブラケット５は、図２および図３に示すように、橋脚３の外面から張り出していて、マスト１１を支持している。ブラケット５は、橋脚３の前面に添設された２本の縦材５１，５１と、各縦材５１の下端部から橋脚３の前方に向って張り出された２本の水平材５２，５２と、水平材５２の上面から縦材５１の前面に至る斜材５３と、２本の水平材５２，５２の上面に横架された２組の受桁５４，５４とを有している。
【００１７】
縦材５１は、橋脚３の前面に沿って立設された鋼材である。縦材５１の背面は橋脚３の前面に当接している。本実施形態の縦材５１はＨ形鋼により構成するが、縦材５１を構成する材料は限定されない。本実施形態では、図３に示すように、２本の縦材５１，５１を所定の間隔をあけて左右に並設する。２本の縦材５１，５１は水平材５２および受桁５４を介して連結されている。縦材５１は、図１に示すように、地表面（橋脚３の基礎）から間隔をあけた位置に配設されている。すなわち、縦材５１の下端面は、他のものに接していない。
【００１８】
ブラケット５は、水平材５２，５２と受桁５４，５４によって、平面視井桁状に形成されている。なお、ブラケット５の構成は限定されるものではなく、例えば鋼材を組み合わせることにより口字状に形成されていてもよいし、版状の部材により形成されていてもよい。
【００１９】
ブラケット５の上面には、マスト１１の基礎１３が固定されている。ブラケット５への基礎１３の固定は、基礎１３および受桁５４を、治具１４で挟持することにより行う。
治具１４は、基礎１３、水平材５２および受桁５４を挟むように上下に配設された一対の挟持鋼材１４ａ，１４ａと、一対の挟持鋼材１４ａ，１４ａをつなぐボルト１４ｂとにより構成されている。治具１４は、一方の挟持鋼材１４ａを基礎１３の上面に、他方の挟持鋼材１４ａを受桁３１ｂの下面にそれぞれ配設した状態で、両挟持鋼材１４ａをボルト１４ｂにより締め付けることで、基礎１３にブラケット５を固定する。
【００２０】
ブラケット５の水平材５２は、一端が縦材５１の下端に一体に固定されているとともに、他端側において斜材５３により支持されている。
図２に示すように、斜材５３の上端は縦材５１の上部前面に固定されており、斜材５３の下端は水平材５２の上面先端側に固定されている。
【００２１】
固定部材６は、ブラケット５を橋脚に固定する部材である。
固定部材６は、図３に示すように、橋脚３を前後から挟む一対の固定梁６１，６１と、橋脚３の左右の側面に沿って配設された一対の固定梁用緊張材６２，６２とを備えている。
一方の固定梁６１は、橋脚３の後面に当接した状態で、水平に配設されたＨ形鋼により構成されている。他方の固定梁６１は、縦材の前面に当接した状態で水平に配設されたＨ形鋼により構成されている。各固定梁６１は、橋脚３の幅よりも長く、その両端は橋脚３の側面から張り出している。なお、固定梁６１を構成する材料は、例えば溝形鋼や鋼管等でもよく、Ｈ形鋼に限定されるものではない。
【００２２】
本実施形態では、図２に示すように、橋脚３の前面において上下２本一組の固定梁６１，６１を配設しているが、いずれも水平材５２よりも上方に配設している。最上段に配設された一組の固定梁６１，６１は、斜材５３と縦材５１との接合部よりも上方に位置しており、残りの三組の固定梁６１，６１は水平材５２と斜材５３との間に配設されている。なお、固定梁６１の配置はこれに限定されるものではない。
【００２３】
図２および図３に示すように、橋脚３の左右に配設された一対の固定梁用緊張材６２，６２は、橋脚３の前後に配設された固定梁６１，６１の突出部分に固定されている。固定梁用緊張材６２は、上下２段に配設された固定梁６１，６１の上下に配設されている。すなわち、橋脚３の各側面には、一つの固定部材につき、上下２本の固定梁用緊張材６２，６２が配置されている。
【００２４】
橋脚３の各側面において、上下の固定梁用緊張材６２，６２は、上下２本の固定梁６１，６１を挟むように配置されている。すなわち、上側の固定梁用緊張材６２は上側の固定梁６１の上面、下側の固定梁用緊張材６２は下側の固定梁６１の下面に沿って配置されている。なお、固定梁用緊張材６２の本数および配置は限定されない。
【００２５】
本実施形態では、固定梁用緊張材６２として鋼棒を使用する。なお、固定梁用緊張材６２は、例えば鋼線であってもよく、固定梁用緊張材６２を構成する材料は限定されるものではない。
固定梁用緊張材６２は、固定梁６１の端部（橋脚３から張り出した部分）に配設された受材６３を介して固定梁６１に固定されている。
【００２６】
受材６３は、溝形鋼により構成されていて、固定梁用緊張材６２の端部を挟むように配設されている。固定梁用緊張材６２は係止部材６４を介して受材６３に端部が固定されている。
本実施形態の係止部材６４は、中央に貫通孔が形成された鋼板からなり、固定梁用緊張材６２を挟む上下の受材６３，６３に跨って配設されている。なお、係止部材６４は必要に応じて配設すればよい。固定梁用緊張材６２は、係止部材６４の貫通孔を貫通した状態で、この突出部分にナット６５を螺合することにより固定される。
固定梁用緊張材６２に緊張力を導入することで、固定梁６１が固定梁用緊張材６２によって挟持されるとともに橋脚３に固定される。すなわち、橋脚３の後側に配設された固定梁６１は、固定梁用緊張材６２の緊張力により橋脚３の後面に押し付けられ、橋脚３の前側に配設された固定張り６１は固定梁用緊張材６２の緊張力によって橋脚３の前面に押し付けられる。
【００２７】
本実施形態のタワークレーン１は、図１に示すように、つなぎ材７をさらに有している。つなぎ材７は、タワークレーン１のマスト１１が長い場合に、マスト１１を保持する。つなぎ材７は、橋脚３の前面にアンカー（図示せず）を介して固定された状態で、橋脚３の前面から水平に張り出している。なお、つなぎ材７は、必要に応じて形成すればよく、例えばマスト１１の高さが小さい場合には省略してもよい。
橋梁上部工２の施工は、図１に示すように、橋脚３に固定されたブラケット５（仮設架台４）に立脚するように設置されたタワークレーン１を揚重機に用いて行う。
【００２８】
本実施形態の仮設架台４によれば、斜材５３が横材５２の上側に設けられているため、横材５２の下側に斜材を設けることができない地形であっても、斜材５３を設けることができる。また、縦材５１および斜材５３により、横材５２に作用する力を分散させることが可能となる。そのため、ブラケット５を構成する各部材（縦材５１、横材５２、斜材５３等）の小断面化が可能となり、ひいては、施工性の向上および費用の低減化を図ることができる。
【００２９】
また、仮設架台４は、緊張材（固定梁用緊張材６２）を利用して、橋脚３の外面を挟持した状態で固定されているため、橋脚３の内部に仮設架台４を固定するための仮設部材が残存することがない。
また、複数の固定部材６が、水平材５２よりも上方に配設されているため、現地の地形等に制限されることなく、確実にブラケット５を固定することができる。
仮設架台４は、橋脚３に取り付けられているため、切り立った斜面等に隣接して橋梁上部工２を構築する場合であっても、タワークレーン１を橋脚３の外部に隣接して設置することができる。
【００３０】
以上、本発明に係る実施形態について説明した。しかし、本発明は、前述の実施形態に限られず、前記の各構成要素については、本発明の趣旨を逸脱しない範囲で、適宜変更が可能である。
例えば、前記実施形態では、仮設架台によりタワークレーンを支持する場合について説明したが、仮設架台により支持される構造体は、タワークレーンに限定されるものではなく、例えば、作業床、足場、エレベーター等に使用してもよい。
また、前記実施形態では橋脚に仮設架台（ブラケット）を取り付ける場合について説明したが、仮設架台が固定される構造物は橋脚に限定されるものではない。
【符号の説明】
【００３１】
１    タワークレーン
２    橋梁上部工
３    橋脚
４    仮設架台
５    ブラケット
５１  縦材
５２  水平材
５３  斜材
６    固定部材
６１  固定梁
６２  固定梁用緊張材
【図１】
0006628675.tif 000002
【図２】
0006628675.tif 000003
【図３】
0006628675.tif 000004